(57)【要約】【課題】容易に組立または分解ができ、簡潔で、機能性かつ許容載置荷重が優れた構造であって、収納容器載置棚段の高さを調整でき、設置性に優れた収納容器載置装置を提供する。【解決手段】収納容器載置装置１００は、水平断面が矩形形状１０の４隅に配置された縦設置足状棒３と、矩形形状１０の挿入側、向い側と横側に上下２段にそれぞれ配置された２本の水平設置渡し棒１と、２本の横水平設置渡し棒２とが、結着自在の結着部材６によって内部に空間部１１が形成されるよう結着される。そして、上段のそれぞれの横水平設置渡し棒２間を到達するようにして、その下側に２本の受け棒１Ａが配置され、結着自在の結着部材６によって結着されて、受け棒１Ａの上側に収納容器設載置棚段１０が形成される。更に、少なくとも３本の縦設置足状棒１に高さ調整棒４が配置され、結着自在の結着部材７によって結着され、収納容器載置棚段１２の水平方向姿勢が調整される。【選択図】図１
0003154289.tif 000002
【実用新案登録請求の範囲】
【請求項１】
水平断面が矩形形状の４隅のそれぞれの隅に垂直に配置され、パイプで形成された縦設置足状棒と、
上下２段に平行にかつ水平に配置され、それぞれパイプで形成された挿入側設置の２本の一方の水平設置渡し棒と、
上下２段に平行にかつ水平に配置され、それぞれパイプで形成されて、向い側設置で、前述の水平設置渡し棒の間隔よりも広い間隔で配置された２本の他方の水平設置渡し棒と、
上下２段に平行にかつ水平に配置され、それぞれパイプで形成された一方の横側設置の２本の一方の横水平設置渡し棒と、
上下２段に平行にかつ水平に配置され、それぞれパイプで形成された他方の横側設置の２本の他方の横水平設置渡し棒と、で構成され、
２本の一方の水平設置渡し棒が挿入側に、２本の他方の水平設置渡し棒が向い側に、２本の一方の横水平設置渡し棒一方の横側にそして２本の他方の横水平設置渡し棒が他方の横側に配置され、挿入側の上段の一方の水平設置渡し棒がそれぞれの横水平設置渡し棒の上段にもしくは下段に置かれて、内部に空間部が形成されるようにして、それぞれ前記縦設置足状棒に、結着自在の結着部材によって結着され、該空間部にあって、２本の内の上段の一方の横水平設置渡し棒と２本の内の上段の他方の横水平設置渡し棒との間を到達するようにして、双方の横水平設置渡し棒の下側に、平行にかつ水平に配置され、それぞれパイプで形成された２本の受け棒が配設され、双方の横水平設置渡し棒に、結着自在の結着部材によって結着されて、該２本の受け棒の上側に収納容器設載置棚段が形成され、前記４本の縦設置足状棒の内、少なくとも３本の縦設置足状棒に垂直に平行に配置され、それぞれパイプで形成された高さ調整棒が結着自在の結着部材によって該空間部の内部または外部の両方へ結着可能に結着され、前記収納容器載置棚段の水平方向姿勢が調整されるようにしたこと
を特徴とする収納容器載置装置。
【考案の詳細な説明】
【技術分野】
【０００１】
本考案は、収納用かご等の収納容器を載置する組立自在の収納容器載置装置に関する。
【背景技術】
【０００２】
一般に、ごみ収納用かご等の収納容器を載置する収納容器載置装置としては、金属製や木造製の収納棚等が用いられている。そして、これら収納棚は、収納容器を載置するための台を備えており、この台に任意の大きさの収納容器を載置する構造となっている。
【０００３】
しかし、従来の収納棚は、構成要素となる部材同士を溶接または釘打ち等による固定を施す必要があったり、収納部の高さ寸法が固定であったりしたため、収納棚の組立に時間を要したり、設置環境に対応して使用できなかったりする問題があった。そこで、これらの問題を解決すべく、種々の発明または考案がなされている。
【０００４】
特許文献１には、幾つかの直立管材、水平網棚、および若干の挟持片で組成され、水平網棚の各角部には嵌め輪が設けられ、直立管材の背面に等間隔で水平溝が設置され、挟持片の内壁に直立管材に設けられた水平溝に対応して内凸紋が凸設され、挟持片の内凸紋が直立管材の水平溝内に嵌入することにより、挟持片が直立管材において位置決めされることにより、高さ寸法を調整可能とした組立式パイプラックが記載されている。
【０００５】
また、特許文献２には、伸縮させて上下に突っ張ることにより上下面に固定する支柱が左右に対設され、その支柱の前面に回動可能かつ高さ調節が可能な棚板が取り付けられた載置棚が記載されている。
【先行技術文献】
【特許文献】
【０００６】
【特許文献１】特開２００１−２８６３５０号公報
【特許文献２】特開平１１−２２１１２３号公報
【考案の概要】
【考案が解決しようとする課題】
【０００７】
しかしながら、上記の特許文献に記載されたものにあっては、構造上載置できる重量（以下、許容載置荷重と言う。）に制限があったり、複数の部品を要して構造が複雑になったり、また、収納容器を載置する棚等の段の水平方向姿勢が容易に調整できなかったりする問題があった。
【０００８】
本考案は、容易に組立または分解ができ、簡潔かつ柔軟性があり、しかも許容載置荷重が優れた構造であって、収納容器載置棚段の水平方向姿勢を調整でき、設置性に優れた収納容器載置装置を提供することを目的とする。
【課題を解決するための手段】
【０００９】
本考案は、水平断面が矩形形状の４隅のそれぞれの隅に垂直に配置され、パイプで形成された縦設置足状棒と、上下２段に平行にかつ水平に配置され、それぞれパイプで形成された挿入側設置の２本の一方の水平設置渡し棒と、上下２段に平行にかつ水平に配置され、それぞれパイプで形成されて、向い側設置で、前述の水平設置渡し棒の間隔よりも広い間隔で配置された２本の他方の水平設置渡し棒と、上下２段に平行にかつ水平に配置され、それぞれパイプで形成された一方の横側設置の２本の一方の横水平設置渡し棒と、上下２段に平行にかつ水平に配置され、それぞれパイプで形成された他方の横側設置の２本の他方の横水平設置渡し棒とで構成され、２本の一方の水平設置渡し棒が挿入側に、２本の他方の水平設置渡し棒が向い側に、２本の一方の横水平設置渡し棒一方の横側にそして２本の他方の横水平設置渡し棒が他方の横側に配置され、挿入側の上段の一方の水平設置渡し棒がそれぞれの横水平設置渡し棒の上段に置かれて、内部に空間部が形成されるようにして、それぞれ前記縦設置足状棒に、結着自在の結着部材によって結着され、該空間部にあって、２本の内の上段の一方の横水平設置渡し棒と２本の内の上段の他方の横水平設置渡し棒との間を到達するようにして、双方の横水平設置渡し棒の下側に、平行にかつ水平に配置され、それぞれパイプで形成された２本の受け棒が配設され、双方の横水平設置渡し棒に、結着自在の結着部材によって結着されて、該２本の受け棒の上側に収納容器設載置棚段が形成され、前記４本の縦設置足状棒の内、少なくとも３本の縦設置足状棒に垂直に平行に配置され、それぞれパイプで形成された高さ調整棒が結着自在の結着部材によって該空間部の内部または外部の両方へ結着可能に結着され、前記収納容器載置棚段の水平方向姿勢が調整されるようにしたことを特徴としている。
【考案の効果】
【００１０】
本考案は、上述のように構成しているので、容易に組立または分解ができ、しかも部品種類も少なく簡潔な構造であり、許容載置荷重が優れた構造とすることができる。また、挿入側および向い側の上段の水平設置渡し棒が、それぞれ収納容器の滑り止め機能および抑え機能を有するため、機能性に優れた構造とすることができる。また、更に、パイプで形成された高さ調整棒により収納容器載置棚段の水平方向姿勢が調整でき、かつ高さ調整棒が空間部の内部または外部の両方どちらにでも結着可能であるため、設置性に優れた収納容器載置装置を提供することができる。
【図面の簡単な説明】
【００１１】
【図１】本考案の実施例の収納容器載置装置の外観を示す概略斜視図。
【図２】本考案の実施例の収納容器載置装置を構成するパイプを示す概略図。
【図３】本考案の実施例の収納容器載置装置を構成する結着部材を示す概略図。
【考案を実施するための形態】
【００１２】
以下、本考案の実施例を図面に基づいて説明する。
【実施例】
【００１３】
図１は、本考案の実施例である収納容器載置装置１００について、その外観を示す。また収納容器載置装置１００を構成するパイプ、結着部材を図２、図３にそれぞれ示す。
【００１４】
収納容器載置装置１００を構成するパイプとしては、図２に示すように、４種類の金属製で円筒状のパイプ１、１Ａ、２、３、４が使用される。パイプ１とパイプ１Ａは同長であり、パイプ１、２、３、４の長さは各構成部分によって異なる。また、パイプ１、１Ａ、２、３、４の径は全て同一とする。これによって、収納容器載置装置１００を構成するパイプ部品の種類を少なくすることができるので、収納容器載置装置１００を簡潔な構造とすることができ、かつ組立または分解を容易にすることができる。
【００１５】
パイプ１、１Ａ、２、３、４は金属製以外の材質のものを用いてもよいが、一般的に金属製のパイプの方が他の材質と比べて強度が強くて変形がし難い。また、金属製のパイプには角型のものを用いてもよいが、一般的に円筒状のパイプの方が耐久性は優れている。また、更に、金属製のパイプは、通常、両端にゴム製等のエンドキャップ５が取付けられ、パイプの両端部に身体の一部をぶつけて怪我をしたり、パイプ自身の美観を損ねたりするといった問題を防止するようになっている。
【００１６】
収納容器載置装置１００を構成する結着自在の結着部材としては、図３に示すように、２種類のクランプと呼ばれる結着自在の結着部材を用いる。図３（ａ）に示す直交型クランプ６は、パイプをそれぞれ内包する内包部６Ａ、６Ｂを有し、これら内包部６Ａ、６Ｂはそれぞれねじ締付部６Ｃ、６Ｄにより内包したパイプを締付けて結着する構造となっている。また、内包部６Ａ、６Ｂはそれぞれが直交するようにかつ回動不可に固定部６Ｅによって固定される。これによって、内包部６Ａ、６Ｂに内包されて結着されたパイプは、互いに直交するように結着される。図３(ｂ)に示す自在型クランプ７は、直交型クランプ６と同様に、内包部７Ａ、７Ｂおよびねじ締付部７Ｃ、７Ｄを有し、内包部７Ａ、７Ｂはそれぞれが回動可能に固定部７Ｅによって固定される。これによって、内包部７Ａ、７Ｂに内包されて結着されたパイプは、互いに自由な角度をなして結着可能とされる。このようなクランプは、製品によっては５００ｋｇの荷重にも耐えることができるようになるため、上述した金属製のパイプの使用と併せることにより、収納容器載置装置１００は優れた許容載置荷重を有するようになる。
【００１７】
以下、本考案の実施例である収納容器載置装置１００の構成について説明する。図１に示すように、まず、水平断面が破線で示される矩形形状１０の４隅のそれぞれの隅１０Ａ、１０Ｂ、１０Ｃ、１０Ｄにパイプ３で形成された縦設置足状棒３が垂直にそれぞれ配置される。以下、矩形形状１０の辺の長い方の手前側、即ち隅１０Ａ、１０Ｂ側を収納容器の挿入側と定め、隅１０Ｃ、１０Ｄ側を向い側、矩形形状１０の辺の短い方の隅１０Ａ、１０Ｄ側および１０Ｃ、１０Ｄ側をそれぞれ横側と定める。この図１で、手前の隅１０Ａ、１０Ｂ側であって、後述する水平設置渡し棒１が低い位置に配置されている方が収納容器の挿入側で、奥の隅１０Ｃ，１０Ｄ側であって、後述する水平設置渡し棒１が高い位置に配置されている方が向い側で、これら挿入側と向い側の側方が横側となる。
【００１８】
次に、矩形形状１０の辺の長い方の一方である挿入側に、パイプ１で形成された２本の挿入側設置となる水平設置渡し棒１が、上下２段にそれぞれ平行にかつ水平に配置され、挿入側の他方である向い側にも、パイプ１で形成された２本の向い側設置となる水平設置渡し棒１が、上下２段にそれぞれ平行にかつ水平に配置される。即ち、矩形形状１０の辺の長い方の一方に２本の水平設置渡し棒１が、その他方に２本の水平設置渡し棒１が２本ずつ配置される。この際、向い側に配置された他方の２本の水平設置渡し棒１の間隔は、挿入側に配置された一方の２本の水平設置渡し棒１の間隔よりも広い間隔にする。これは、収納容器の挿入方向を決めると同時に、後述する縦設置足状棒３との結着をより強固に行うためである。
【００１９】
また、矩形形状１０の辺の短い方である一方の横側に、パイプ２で形成された２本の一方の横側設置となる横水平設置渡し棒２が、上下２段にそれぞれ平行にかつ水平に配置され、他方の横側にも、パイプ２で形成された２本の他方の横側設置となる横水平設置渡し棒２が、上下２段にそれぞれ平行にかつ水平に配置される。即ち、矩形形状１０の辺の短い方の一方に横水平設置渡し棒２が２本、その他方に横水平設置渡し棒２が２本ずつ配置される。
【００２０】
この際、水平設置渡し棒１と横水平設置渡し棒２を配置する際、挿入側の上段の一方の水平設置渡し棒１は、横側のそれぞれの上段の横水平設置渡し棒２の上側に配置する。この水平設置渡し棒１を当該横水平設置渡し棒２の下側に配置するようにしてもよい。これにより、その水平設置渡し棒１は、収納容器載置時において、収納容器の滑り止めの機能を有するようになる。また、向い側に配置された他方の２本の水平設置渡し棒１の間隔は、上記の挿入側に配置された一方の２本の水平設置渡し棒１の間隔よりも広い間隔にすることで、向い側に配置された他方の２本の水平設置渡し棒１は、収納容器載置時の収納容器の側面の抑え機能を有するようになる。
【００２１】
次に、４本の縦設置足状棒３に、水平設置渡し棒１と横水平設置渡し棒２がそれぞれ直交型クランプ６によって、即ち結着自在の結着部材６によって結着される。これにより、これら結着されたパイプ１、２、３の内部に空間部１１が形成される。また、一方の横側に配置された上段の横水平設置渡し棒３と他方の横側に配置された上段の横水平設置渡し棒３との間を到達するようにして、これら双方の横水平設置渡し棒３の下側に、パイプ１Ａで形成された２本の受け棒１Ａが平行にかつ水平に配置され、これら２本の受け棒１Ａは双方の横水平設置渡し棒３に、直交型クランプ６によって、即ち結着自在の結着部材６によって結着される。これにより、２本の受け棒１Ａの上側に収納容器設載置棚段１０が空間部１１内に形成される。
【００２２】
また、更に、４本の縦設置足状棒３の内、少なくとも３本の縦設置足状棒３に、それぞれパイプ４で形成された高さ調整棒４が、縦設置足状棒３と垂直に平行に配置され、自在型クランプ７によって、即ち結着自在の結着部材７によって結着される。この際、高さ調整棒４は、自在型クランプ７によって、空間部１１の内部または外部の両方へ結着可能に結着される。これにより、収納容器載置棚段１２は、自在型クランプ７によって、縦設置足状棒３と高さ調整棒４との結着の位置を調整することによって、収納容器載置棚段１２の水平方向姿勢を調整することができるようになる。この際、高さ調整棒４は、縦設置足状棒３全てに結着して４本としてもよい。
【００２３】
縦設置足状棒３に結着する高さ調整棒４は、３本としても高さ調整棒４の許容載置荷重が優れるため、収納容器の載置により高さ調整棒４が結着部材７より脱着する恐れもなく、収納容器載置装置１００を構成する部品点数を減らすことができる。高さ調整棒４を４本結着した場合は、高さ調整棒４を３本結着した場合よりも、許容載置荷重が優れる。以上の構成により、本考案の収納容器載置装置は部品種類も少なく簡潔な構造であり、許容載置荷重が優れた構造とすることができる。
【００２４】
また、本考案の実施例である収納容器載置装置１００は、高さ調整棒４により収納容器載置棚段１２の水平方向姿勢を調整することができるので、収納容器載置装置１００は、収納容器載置装置１００を設置する地面の高さが各高さ調整棒４間で異なる場合でも、収納容器載置棚段１２の水平方向姿勢を調整することにより設置することができる。また、更に、高さ調整棒４が空間部１１の内側または外側どちらにでも結着可能であるため、高さ調整棒４を空間部１１の内側に結着することにより、収納容器載置装置１００の設置面積を減らし通行の邪魔とならず、足の引っ掛かりによる怪我の防止もできるようになる。これにより、本考案の収納容器載置装置は、高さ調整棒により水平方向姿勢を調整できるので、設置性が優れ、かつ利用状況に応じた使用が可能となる。
【００２５】
また、更に、収納容器載置装置１００の組立または分解は、パイプを直交型または固定型クランプで結着または脱着するだけの手順でなされるため、容易に収納容器載置装置１００の組立または分解をすることができる。
【００２６】
本考案は、上述のように構成しているので、容易に組立または分解ができ、しかも部品種類も少なく簡潔な構造であり、許容載置荷重が優れた構造である。また、挿入側および向い側の上段の水平設置渡し棒が、それぞれ収納容器の滑り止め機能および抑え機能を有するため、機能性に優れた構造とすることができる。また、更に、収納容器載置棚段の水平方向姿勢が調整でき、調整足が横置棒の内側または外側どちらにでも結着可能であるために設置性に優れた収納容器載置装置を提供することを目的とすることができる。
【符号の説明】
【００２７】
１…水平設置渡し棒、１Ａ…受け棒、２…横水平設置渡し棒、３…縦設置足状棒、４…高さ調整棒、６，７…結着部材（クランプ）、１０…矩形形状、１１…空間部、１２…収納容器載置棚段、１００…収納容器載置装置。
【図１】
0003154289.tif 000003
【図２】
0003154289.tif 000004
【図３】
0003154289.tif 000005